(57)【要約】【課題】複数のウェルのうち底部に光が照射されたウェルに液体を注入した後でそのウェルに実際に液体が収容されていることを容易に確認する。【解決手段】ＬＥＤ２９から光を照射したウェル２２ａにＤＮＡ溶液が収容されていない非収容状態のときにはマーク２８ａに遮光された陰の全体がウェルプレート２６の上方からウェル２２ａの底部を見たオペレータに視認され、ＬＥＤ２９から光を照射したウェル２２ａにＤＮＡ溶液が収容されている収容状態のときにはマーク２８ａに遮光された陰が拡大されてオペレータに視認される。つまり、非収容状態ではウェル２２ａに気体（空気）が収容されているのに対して収容状態ではウェル２２ａにＤＮＡ溶液が収容されているため、両者の屈折率の違いにより収容状態では非収容状態に比べてマーク２８ａに遮光された陰が拡大される。【選択図】図２
2010096754.tif 000002
【特許請求の範囲】
【請求項１】
液体を収容可能な複数のウェルが設けられたウェルプレートと、
前記ウェルと１対１に対応し該対応するウェルの下方から該対応するウェルの底部へ向けて検査光を照射する光源と、
前記ウェルプレートを前記光源の上方に支持するプレートホルダと、
前記ウェルプレートと前記光源との間に前記ウェルと１対１に対応して設けられた遮光部と、
を備え、
前記検査光を照射したウェルに液体が収容されていない非収容状態のときには該遮光部に遮光された陰の全体が前記ウェルプレートの上方からウェルの底部を見たオペレータに視認され、前記検査光を照射したウェルに液体が収容されている収容状態のときには該遮光部に遮光された陰が拡大されて前記オペレータに視認される、
ウェル検査装置。
【請求項２】
前記非収容状態のときには前記遮光部に遮光された陰の周囲から前記検査光の色が前記オペレータに視認され、前記収容状態のときには前記遮光部に遮光された陰が拡大され前記非収容状態のときと比べて前記検査光が低光量で前記オペレータに視認される、
請求項１に記載のウェル検査装置。
【請求項３】
前記非収容状態のときには前記遮光部に遮光された陰の周囲から透過する前記検査光の色が前記オペレータに視認され、前記収容状態のときには前記遮光部に遮光された陰が前記ウェルの底部の全面又はそれ以上に拡大されて前記オペレータに視認される、
請求項１又は２に記載のウェル検査装置。
【請求項４】
前記遮光部は、前記ウェルプレート、前記光源又は前記プレートホルダに設けられている、
請求項１〜３のいずれか１項に記載のウェル検査装置。
【請求項５】
前記遮光部は、略長方形を交差させたクロス形状に形成されている、
請求項１〜４の何れか１項に記載のウェル検査装置。
【請求項６】
液体を収容可能な複数のウェルが設けられたウェルプレートと、
前記ウェルと１対１に対応し該対応するウェルの下方から該対応するウェルの底部へ向けて検査光を照射する光源と、
前記ウェルプレートを前記光源の上方に支持するプレートホルダと、
を備え、
前記光源は、前記ウェルプレートの上方からウェルの底部を見たオペレータに所定の模様が視認されるように前記検査光を照射する装置であり、
前記模様は、前記検査光を照射したウェルに液体が収容されている収容状態のときには、前記検査光を照射したウェルに液体が収容されていない非収容状態のときに比べて、前記液体中を通過する際に前記検査光が屈折することにより拡大されて前記オペレータに視認される、
ウェル検査装置。
【請求項７】
液体を収容可能な複数のウェルが設けられたウェルプレートの下方に設置されるウェル検査装置用部品であって、
前記ウェルと１対１に対応し該対応するウェルの下方から該対応するウェルの底部へ向けて検査光を照射する光源と、
前記ウェルプレートと前記光源との間に前記ウェルと１対１に対応して設けられた遮光部と、
を備え、
前記検査光を照射したウェルに液体が収容されていない非収容状態のときには前記遮光部によって遮光された陰の全体が前記ウェルプレートの上方からウェルの底部を見たオペレータによって視認され、前記検査光を照射したウェルに液体が収容されている収容状態のときには該遮光部によって遮光された陰が液体によって拡大されて前記オペレータに視認される、
ウェル検査装置用部品。
【請求項８】
前記非収容状態のときには前記遮光部に遮光された陰の周囲から前記検査光の色が前記オペレータに視認され、前記収容状態のときには前記遮光部に遮光された陰が拡大され前記非収容状態のときと比べて前記検査光が低光量で前記オペレータに視認される、
請求項７に記載のウェル検査装置用部品。
【請求項９】
液体を収容可能な複数のウェルが設けられたウェルプレートの下方に設置されるウェル検査装置用部品であって、
前記ウェルと１対１に対応し該対応するウェルの下方から該対応するウェルの底部へ向けて検査光を照射する光源、
を備え、
前記光源は、前記ウェルプレートの上方からウェルの底部を見たオペレータに所定の模様が視認されるように前記検査光を照射する装置であり、
前記模様は、前記検査光を照射したウェルに液体が収容されている収容状態のときには、前記検査光を照射したウェルに液体が収容されていない非収容状態のときに比べて、前記液体中を通過する際に前記検査光が屈折することにより拡大されて前記オペレータに視認される、
ウェル検査装置用部品。
【請求項１０】
請求項１〜６のいずれか１項に記載のウェル検査装置と、
前記光源を制御する光源制御装置と、
を備え、
前記光源制御装置は、前記ウェルプレートに設けられた複数のウェルのうち今回液体を注入するウェルに対応する光源が点滅するよう制御し、次回以降液体を注入するウェルに対応する光源及び前回以前に液体を注入したウェルに対応する光源の少なくとも一方の光源が点灯するよう制御する、
液体注入ガイドシステム。
【発明の詳細な説明】
【技術分野】
【０００１】
本発明は、ウェル検査装置、それに用いる部品及び液体注入ガイドシステムに関する。
【背景技術】
【０００２】
従来、液体を収容するための複数のウェルを有するウェルプレートが知られている。例えば、非特許文献１に記載の９６ウェルＰＣＲプレートは、９６個のウェルを有しており、各ウェルに異なったＤＮＡを含む溶液を収容し、各ウェルに収容されたＤＮＡを同時に培養するものである。
【先行技術文献】
【非特許文献】
【０００３】
【非特許文献１】ＤＮＡマイクロアレイ実戦マニュアル、２３−３３頁、監修：林崎良英、（株）羊土社、２０００年１２月発行
【発明の概要】
【発明が解決しようとする課題】
【０００４】
こうしたウェルプレートでは、予めどのＤＮＡ溶液をどのウェルに注入するかが決まっていることが多い。このため、オペレータは予め準備した各ＤＮＡ溶液を手作業で各ウェルに注入することになる。このとき、ＤＮＡ溶液を注入するウェルを間違えないようにするために、今回どのウェルにＤＮＡ溶液を注入したらよいのか確認できるようにしたいという要望があった。こうした要望に応えるために、例えば、ウェルプレートの各ウェルの下方に光源を設け、今回ＤＮＡ溶液を注入するウェルに対応する光源を点灯してオペレータがそれを目で見て確認したあとＤＮＡ溶液をそのウェルに注入することが考えられる。しかしながら、ウェルに対応する光源を点灯するようにしただけでは、ＤＮＡ溶液の注入前後で視覚的にほとんど差がない。このため、今回ＤＮＡ溶液を注入すべきウェルとは違うウェルにＤＮＡ溶液を注入してしまった場合、ウェルプレートの上方から底部が点灯しているウェルを見たとしても、そのウェルにＤＮＡ溶液が収容されているのか否かをオペレータが容易に確認することはできない。
【０００５】
本発明は、上述した課題に鑑みなされたものであり、複数のウェルのうち底部に光が照射されたウェルに液体を注入した後でそのウェルに実際に液体が収容されていることを容易に確認することができるウェル検査装置を提供することを主目的とする。
【課題を解決するための手段】
【０００６】
本発明は、上述の目的を達成するために以下の手段を採った。
【０００７】
本発明の第１のウェル検査装置は、
液体を収容可能な複数のウェルが設けられたウェルプレートと、
前記ウェルと１対１に対応し該対応するウェルの下方から該対応するウェルの底部へ向けて検査光を照射する光源と、
前記ウェルプレートを前記光源の上方に支持するプレートホルダと、
前記ウェルプレートと前記光源との間に前記ウェルと１対１に対応して設けられた遮光部と、
を備え、
前記検査光を照射したウェルに液体が収容されていない非収容状態のときには該遮光部に遮光された陰の全体が前記ウェルプレートの上方からウェルの底部を見たオペレータに視認され、前記検査光を照射したウェルに液体が収容されている収容状態のときには該遮光部に遮光された陰が拡大されて前記オペレータに視認されるものである。
【０００８】
この第１のウェル検査装置では、検査光を照射したウェルに液体が収容されていない非収容状態のときには該遮光部に遮光された陰の全体が前記ウェルプレートの上方からウェルの底部を見たオペレータに視認され、前記検査光を照射したウェルに液体が収容されている収容状態のときには該遮光部に遮光された陰が拡大されて前記オペレータに視認される。つまり、非収容状態ではウェルに気体（空気）が収容されているのに対して収容状態ではウェルに液体が収容されているため、両者の屈折率の違いにより収容状態では非収容状態に比べて遮光部に遮光された陰が拡大される。したがって、複数のウェルのうち底部に光が照射されたウェルに液体を注入した後でそのウェルに実際に液体が収容されているか否かを遮光部に遮光された陰の大きさによって容易に確認することができる。
【０００９】
本発明の第１のウェル検査装置において、前記非収容状態のときには前記遮光部に遮光された陰の周囲から前記検査光の色が前記オペレータに視認され、前記収容状態のときには前記遮光部に遮光された陰が拡大され前記非収容状態のときと比べて前記検査光が低光量で前記オペレータに視認されるようにしてもよい。こうすれば、複数のウェルのうち底部に光が照射されたウェルに液体を注入した後でそのウェルに実際に液体が収容されているか否かを検査光の光量つまり明るさによって容易に確認することができる。
【００１０】
本発明の第１のウェル検査装置において、前記非収容状態のときには前記遮光部に遮光された陰の周囲から透過する前記検査光の色が前記オペレータに視認され、前記収容状態のときには前記遮光部に遮光された陰が前記ウェルの底部の全面又はそれ以上に拡大されて前記オペレータに視認されるようにしてもよい。こうすれば、複数のウェルのうち底部に光が照射されたウェルに液体を注入した後でそのウェルに実際に液体が収容されているか否かをより認識しやすくなる。
【００１１】
本発明の第１のウェル検査装置において、前記遮光部は、前記ウェルプレート、前記光源又は前記プレートホルダに設けられていてもよい。
【００１２】
本発明の第１のウェル検査装置において、前記遮光部は、略長方形を交差させたクロス形状に形成されていてもよい。
【００１３】
本発明の第２のウェル検査装置は、
液体を収容可能な複数のウェルが設けられたウェルプレートと、
前記ウェルと１対１に対応し該対応するウェルの下方から該対応するウェルの底部へ向けて検査光を照射する光源と、
前記ウェルプレートを前記光源の上方に支持するプレートホルダと、
を備え、
前記光源は、前記ウェルプレートの上方からウェルの底部を見たオペレータに所定の模様が視認されるように前記検査光を照射する装置であり、
前記模様は、前記検査光を照射したウェルに液体が収容されている収容状態のときには、前記検査光を照射したウェルに液体が収容されていない非収容状態のときに比べて、前記液体中を通過する際に前記検査光が屈折することにより拡大されて前記オペレータに視認されるものである。
【００１４】
この第２のウェル検査装置では、ウェルプレートの上方からウェルの底部を見たオペレータに所定の模様が視認されるように検査光を照射し、検査光を照射したウェルに液体が収容されている収容状態のときには、検査光を照射したウェルに液体が収容されていない非収容状態のときに比べて、液体中を通過する際に検査光が屈折することにより模様が拡大されてオペレータに視認される。したがって、複数のウェルのうち底部に光が照射されたウェルに液体を注入した後でそのウェルに実際に液体が収容されているか否かを模様の大きさによって容易に確認することができる。
【００１５】
本発明の第１のウェル検査装置用部品は、
液体を収容可能な複数のウェルが設けられたウェルプレートの下方に設置されるウェル検査装置用部品であって、
前記ウェルと１対１に対応し該対応するウェルの下方から該対応するウェルの底部へ向けて検査光を照射する光源と、
前記ウェルプレートと前記光源との間に前記ウェルと１対１に対応して設けられた遮光部と、
を備え、
前記検査光を照射したウェルに液体が収容されていない非収容状態のときには前記遮光部によって遮光された陰の全体が前記ウェルプレートの上方からウェルの底部を見たオペレータによって視認され、前記検査光を照射したウェルに液体が収容されている収容状態のときには該遮光部によって遮光された陰が液体によって拡大されて前記オペレータに視認されるものである。
【００１６】
この第１のウェル検査装置用部品をウェル検査装置に用いた場合、検査光を照射したウェルに液体が収容されていない非収容状態のときには該遮光部に遮光された陰の全体が前記ウェルプレートの上方からウェルの底部を見たオペレータに視認され、前記検査光を照射したウェルに液体が収容されている収容状態のときには該遮光部に遮光された陰が拡大されて前記オペレータに視認される。つまり、非収容状態ではウェルに気体（空気）が収容されているのに対して収容状態ではウェルに液体が収容されているため、両者の屈折率の違いにより収容状態では非収容状態に比べて遮光部に遮光された陰が拡大される。したがって、複数のウェルのうち底部に光が照射されたウェルに液体を注入した後でそのウェルに実際に液体が収容されているか否かを遮光部に遮光された陰の大きさによって容易に確認することができる。
【００１７】
本発明の第１のウェル検査装置用部品において、前記非収容状態のときには前記遮光部に遮光された陰の周囲から前記検査光の色が前記オペレータに視認され、前記収容状態のときには前記遮光部に遮光された陰が拡大され前記非収容状態のときと比べて前記検査光が低光量で前記オペレータに視認されるようにしてもよい。こうすれば、ウェル検査装置用部品をウェル検査装置に用いた場合、複数のウェルのうち底部に光が照射されたウェルに液体を注入した後でそのウェルに実際に液体が収容されているか否かを検査光の光量つまり明るさによって容易に確認することができる。
【００１８】
本発明の第２のウェル検査装置用部品は、
液体を収容可能な複数のウェルが設けられたウェルプレートの下方に設置されるウェル検査装置用部品であって、
前記ウェルと１対１に対応し該対応するウェルの下方から該対応するウェルの底部へ向けて検査光を照射する光源、
を備え、
前記光源は、前記ウェルプレートの上方からウェルの底部を見たオペレータに所定の模様が視認されるように前記検査光を照射する装置であり、
前記模様は、前記検査光を照射したウェルに液体が収容されている収容状態のときには、前記検査光を照射したウェルに液体が収容されていない非収容状態のときに比べて、前記液体中を通過する際に前記検査光が屈折することにより拡大されて前記オペレータに視認されるものである。
【００１９】
この第２のウェル検査装置用部品をウェル検査装置に用いた場合、検査光を照射したウェルに液体が収容されている収容状態のときには、検査光を照射したウェルに液体が収容されていない非収容状態のときに比べて、液体中を通過する際に検査光が屈折することにより模様が拡大されてオペレータに視認される。つまり、非収容状態ではウェルに気体（空気）が収容されているのに対して収容状態ではウェルに液体が収容されているため、両者の屈折率の違いにより収容状態では非収容状態に比べて模様が拡大される。したがって、複数のウェルのうち底部に光が照射されたウェルに液体を注入した後でそのウェルに実際に液体が収容されているか否かを模様の大きさによって容易に確認することができる。
【００２０】
本発明の第１のウェル検査装置用部品は、上述した第１のウェル検査装置に用いることが好ましく，本発明の第２のウェル検査装置用部品は、上述した第２のウェル検査装置に用いることが好ましい。
【００２１】
本発明の液体注入ガイドシステムは、上述したいずれかのウェル検査装置と、前記光源を制御する光源制御装置と、を備え、前記光源制御装置は、前記ウェルプレートに設けられた複数のウェルのうち今回液体を注入するウェルに対応する光源が点滅するよう制御し、次回以降液体を注入するウェルに対応する光源及び前回以前に液体を注入したウェルに対応する光源の少なくとも一方の光源が点灯するよう制御してもよい。こうすれば、今回液体を注入するウェルをオペレータが確認しやすくすることができる。
【図面の簡単な説明】
【００２２】
【図１】ＤＮＡ溶液注入ガイドシステム１０の構成の概略を表す構成図。
【図２】ウェル検査装置２０の組立斜視図。
【図３】マークフィルム２８の説明図。
【図４】ＤＮＡ溶液注入ガイドシステム１０の電気的な接続を示す説明図。
【図５】設定テーブルの説明図。
【図６】ガイド処理ルーチンの一例を示すフローチャート。
【図７】ガイド画面４０の説明図。
【図８】ガイド画面４０の説明図。
【図９】ウェル２２ａの底部の見え方の一例の説明図。
【図１０】筐体１２４の斜視図。
【図１１】筐体１２４を用いた場合のウェル２２ａの底部の見え方の一例の説明図。
【図１２】ＤＮＡ溶液注入ガイドシステム２１０の構成の概略を示す構成図。
【図１３】ウェル検査装置２２０の筐体２２４の斜視図。
【図１４】筐体２２４の上面図。
【図１５】ＤＮＡ溶液注入ガイドシステム２１０の電気的な接続を示すブロック図。
【発明を実施するための形態】
【００２３】
次に、本発明を実施するための最良の形態を図面を用いて説明する。図１はＤＮＡ溶液注入ガイドシステム１０の構成の概略を示す構成図、図２はウェル検査装置２０の組立斜視図、図３はマークフィルム２８の説明図、図４はＤＮＡ溶液注入ガイドシステム１０の電気的な接続を示すブロック図である。
【００２４】
ＤＮＡ溶液注入ガイドシステム１０は、図１に示すように、液体を収容可能な複数のウェル２２ａの液体収容状態を検査するウェル検査装置２０と、このウェル検査装置２０と配線１２によって電気的に接続されたコンピュータ３０とを備えている。このＤＮＡ溶液注入ガイドシステム１０は、オペレータが手作業で複数種類の溶液をそれぞれ決められたウェル２２ａに注入する際に、どの溶液をどのウェル２２ａへ注入するかをガイドするものである。本実施形態では、複数のＤＮＡ溶液をそれぞれ決められたウェル２２ａに注入する場合を例に挙げて説明する。
【００２５】
ウェル検査装置２０は、図２に示すように、ウェルプレート２２と、筐体２４と、プレートホルダ２６と、マークフィルム２８とを備えている。
【００２６】
ウェルプレート２２は、液体を収容する９６個のウェル２２ａが設けられている。このウェルプレート２２は、材質が半透明のポリプロピレン（ＰＰ）であり、可視光を透過させるものである。ウェル２２ａは、丸い底面からウェルの開口に向かって徐々に直径が大きくなり途中から直径が一定となる形状を成している。ここでは、ウェルプレート２２としてＭｉｃｒｏＡｍｐ  Ｏｐｔｉｃａｌ９６−Ｗｅｌｌ  Ｒｅａｃｔｉｏｎ  Ｐｌａｔｅ（Ａｐｐｌｉｅｄ  Ｂｉｏｓｙｓｔｅｍｓ社製）を用いた。
【００２７】
筐体２４は、上部の９６個のＬＥＤ設置穴２４ａに、各ＬＥＤ設置穴２４ａに１つずつ赤色のＬＥＤ２９を設けたものである。各ＬＥＤ２９は配線１２を介してコンピュータ３０と電気的に接続されている。各ＬＥＤ２９は、プレートホルダ２６を介してウェルプレート２２が筐体２４に装着されたときに各ウェル２２ａと上下方向に１対１に対応するよ
うに配置されている。また、各ＬＥＤ２９は、その対応するウェル２２ａの下方からそのウェル２２ａの底部へ向けて光を照射するように設置されている。
【００２８】
プレートホルダ２６は、上下方向に１対１に対応するウェル２２ａとＬＥＤ２９とが所定の距離となるように、ウェルプレート２２を筐体２４上に保持するものである。このプレートホルダ２６には、複数の支持穴２６ａが設けられている。この支持穴２６ａは、深さがプレートホルダ２６の厚さの半分ほどの貫通穴である。また、支持穴２６ａは、上側（ウェルプレート２２の側）が、下側（筐体２４の側）よりも直径が大きくなっている。このため、ウェルプレート２２をこのプレートホルダ２６に装着すると、ウェル２２ａの側面と支持穴２６ａの内周面とが接触した状態でウェルプレート２２がウェルプレートホルダ２６に保持される。ここでは、ウェル２２ａの底面が支持穴２６ａの下側に飛び出し且つウェル２２ａの底面がプレートホルダ２６の下面よりも上方に位置した状態で保持されるように穴の直径が設計されているものとする。
【００２９】
マークフィルム２８は、各ＬＥＤ２９に１対１に対応する位置にマーク２８ａ（ここでは長方形が交差したクロス形状）が印刷されたプラスチック製フィルムである。このマークフィルム２８は、ＬＥＤ２９とウェル２２ａの底面との間に設置されている。ここでは、図２に示すように、マークフィルム２８は、筐体２４の上面に貼り付けられている。このマークフィルム２８とＬＥＤ２９とウェル２２ａの底部との位置関係、及び、このマークフィルム２８に描かれるマーク２８ａの大きさは、以下のように設定されている。即ち、ＬＥＤ２９が点灯した状態で、ＬＥＤ２９から発した光がマーク２８ａを介して照射されたウェル２２ａに液体が収容されていないときには、マーク２８ａに遮光された陰の全体がウェルプレート２２ａの上方からそのウェル２２ａの底部を見たオペレータに視認され、そのウェル２２ａに液体が収容されているときには、収容されている液体のレンズ作用によってマーク２８ａに遮光された陰が拡大され該拡大された陰がウェル２２ａの底部の全面以上となってオペレータに視認されるように設定されている。
【００３０】
コンピュータ３０は、図４に示すように、エンターキー３１ａを有する周知のキーボート３１と、ポインティングデバイスとして周知のマウス３２と、カラー表示可能な周知のディスプレイ３３と、各ＬＥＤ２９を制御するＬＥＤコントローラ３９と、全体の制御を司るメインコントローラ３４とを備えている。ＬＥＤコントローラ３９は、配線１２を介して９６個のＬＥＤ２９と電気的に接続されている。このＬＥＤコントローラ３９は、メインコントローラ３４からの指令により、９６個のＬＥＤ２９を個別に点灯及び消灯させるものである。また、このＬＥＤコントローラ３９は、短い周期で点灯と消灯とを繰り返してＬＥＤ２９を点滅させたりもする。メインコントローラ３４は、ＣＰＵ３５を中心とするマイクロプロセッサとして構成されており、各種のプログラムや各種のデータを記憶するＲＯＭ３６と、一時的にデータを記憶可能なＲＡＭ３７と、電気的に書き換え可能で電源を切ってもデータが保持されるフラッシュメモリ３８とを備えている。このフラッシュメモリ３８には、図５に示したように、ウェルプレート２２へＤＮＡ溶液を注入する順番と注入するウェル２２ａの位置とそのウェル２２ａに注入するＤＮＡ溶液の名前（試薬名）との関係が設定テーブルとして記憶されている。ここで、ウェル２２ａの位置は、図１に示すように行と列とで特定され、行を特定する行記号としてａ〜ｈが、また、列を特定する列記号としてＡ〜Ｌが設定されている。図５では、設定テーブルは、１番目にａ行Ａ列のウェル２２ａにＤＮＡ溶液「ＡＡＡＡＡ」を注入し、２番目にｃ行Ａ列のウェル２２ａにＤＮＡ溶液「ＢＢＢＢＢ」を注入し、３番目にｅ行Ａ列のウェル２２ａにＤＮＡ溶液「ＣＣＣＣＣ」を注入し、最終的に２２番目にａ行Ｌ列のウェル２２ａにＤＮＡ溶液「ＶＶＶＶＶ」を注入するように設定されている。なお、図４に示すように、キーボード３１、マウス３２、ディスプレイ３３、ＣＰＵ３５、ＲＯＭ３６、ＲＡＭ３７、フラッシュメモリ３８、ＬＥＤコントローラ３９は、バス１４を介して各種制御信号やデータのやり取りができるよう構成されている。
【００３１】
ここで、本実施形態のＤＮＡ溶液注入ガイドシステム１０の動作について説明する。図６はＣＰＵ３５により実行されるガイド処理ルーチンの一例を示すフローチャート、図７及び図８は図６に示すガイド処理ルーチンを実行中にディスプレイ３３に表示されるガイド画面４０の説明図である。このガイド処理ルーチンは、ＲＯＭ３６に記憶されている。また、このガイド処理ルーチンは、オペレータがキーボード３１を操作して、複数のＤＮＡ溶液をそれぞれ予め決められたウェル２２ａへ注入する作業を開始する指示を入力したときに開始される。このルーチンが開始されると、ＣＰＵ３５は、まず、ディスプレイ３３の画面上に、図７に示したようなガイド画面４０を表示する（ステップＳ１１０）。ここで、ガイド画面４０には、試薬名表示部４２と、インジケータ表示部４３と、終了ボタン４４とが表示される。試薬名表示部４２は、今回オペレータが収容するＤＮＡ溶液の名前を表示するものである。インジケータ表示部４３は、ウェルプレート２２の各ウェル２２ａの行記号の表示部５０と、各ウェル２２ａの列記号の表示部５１と、各ウェル２２ａに対応した円形の９６個のインジケータ５２とを備えている。各インジケータ５２は、それぞれウェルプレート２２のウェル２２ａと１対１に対応している。ステップＳ１１０では、全てのインジケータ５２を灰色に表示するものとする。終了ボタン４４は、ＤＮＡ溶液の各ウェル２２ａへのＤＮＡ溶液の収容を終了するときにオペレータが押すものである。
【００３２】
さて、図６のフローチャートに戻り、ＣＰＵ３５は、ステップＳ１１０でガイド画面４０を表示した後、フラッシュメモリ３８に格納されている設定テーブルから、ウェルプレート２２へＤＮＡ溶液を注入する順番と注入するウェル２２ａの位置とそのウェル２２ａに注入するＤＮＡ溶液の名前とに関する情報を読み出す（ステップＳ１２０）。そして、ＤＮＡ溶液を注入する全てのウェル２２ａに対応するＬＥＤ２９を点灯させると共にガイド画面４０の表示内容を更新する（ステップＳ１３０）。ここで、ガイド画面４０の表示内容を更新するときには、インジケータ表示部４３の９６個のインジケータ５２のうちＤＮＡ溶液を注入する全てのウェル２２ａに対応するインジケータ５２を緑色の表示にするものとする。続いて、今回ＤＮＡ溶液を注入するウェル２２ａに対応するＬＥＤ２９を点滅させ、ガイド画面４０の表示内容を更新する（ステップＳ１４０）。ここで、ガイド画面４０の表示内容を更新するときには、図８に示すように、試薬名表示部４２にウェル２２ａに今回収容するＤＮＡ溶液の名前を表示すると共に、インジケータ表示部４３の９６個のインジケータ５２のうち、今回ＤＮＡ溶液を注入するウェル２２ａに対応するインジケータ５２を赤色の表示にする。また、前回ＤＮＡ溶液を注入したウェル２２ａに対応するインジケータ５２をピンク色の表示にし、前々回以前にＤＮＡ溶液を注入したウェル２２ａに対応するインジケータ５２を黄色の表示にし、次回以降にＤＮＡ溶液を注入するウェル２２ａを緑色の表示のままにする。また、ＤＮＡ溶液を注入しないウェル２２ａを灰色の表示のままにする。なお、図８では、作図の都合上、赤色を網掛けで示し、ピンク色を横縞で示し、黄色を縦縞で示し、緑色を斜線で示し、灰色を塗りつぶしなしで示している。オペレータはこのガイド画面４０を見て、今回ＤＮＡ溶液を注入するウェル２２ａの位置とＤＮＡ溶液の名前とを確認し、試薬名表示部４２に表示されている試薬を、図示しないピペッタによってウェル検査装置２０のウェル２２ａのうちＬＥＤ２９が点滅しているウェル２２ａに注入する。このとき、今回ＤＮＡ溶液を注入するウェル２２ａに対応するＬＥＤ２９が点滅しているため、オペレータは、今回ＤＮＡ溶液を注入するウェル２２ａを確認しやすい。なお、今回ＤＮＡ溶液を注入するウェル２２ａの位置はガイド画面４０で確認しなくても、ウェル検査装置２０のいずれのＬＥＤ２９が点滅しているかを確認すれば十分である。ＤＮＡ溶液のウェル２２ａへの注入が終わったあと、オペレータは、エンターキー３１ａを押下する。なお、ＤＮＡ溶液注入ガイドシステム１０に図示しないフットスイッチを備え、エンターキー３１ａを押下する動作を図示しないフットスイッチを操作する動作に換えてもよい（以下同じ）。
【００３３】
ここで、ウェル２２ａにＤＮＡ溶液が収容されていない状態とＤＮＡ溶液が収容された状態とで、オペレータがウェル検査装置２０の上方からウェル２２ａの底部を見たときの見え方について説明する。図９は、ＤＮＡ溶液が収容されていない状態とＤＮＡ溶液が収容された状態とにおける、ウェル２２ａの底部の見え方の一例の説明図である。図示するように、ＤＮＡ溶液が収容されていないときには、マーク２８ａの陰の全体が視認できる（図９（ａ））。また、マーク２８ａの陰の周囲からＬＥＤ２９の赤色がオペレータに視認される。一方、ＤＮＡ溶液が収容されているときには、マーク２８ａの陰の全体は視認できず、マーク２８ａの陰が拡大されてウェル２２ａの底面の全面以上に広がるため、ＬＥＤ２９から発せられた赤色の光をほとんど視認することができない（図９（ｂ））。このようにして、オペレータは、目視により、ＤＮＡ溶液がウェル２２ａに収容されているか収容されていないかを確認することができる。なお、収容されている液体のレンズ作用によってマーク２８ａに遮光された陰が拡大されると、この陰の縁がぼやけてマーク２８ａの形状が認識しにくくなる。このことによっても、オペレータは、目視により、ＤＮＡ溶液がウェル２２ａに収容されているか収容されていないかを確認することができる。
【００３４】
続いて、ＣＰＵ３５は、エンターキー３１ａが押下されるのを待って（ステップＳ１５０）、ＤＮＡ溶液を注入する全てのウェル２２ａへの案内を完了したか否かを判定する（ステップＳ１６０）。具体的には、ステップＳ１２０で読み出した情報のうち、最後の順番のウェル２２ａについてステップＳ１４０の処理を実行したか否かを判定する。ＤＮＡ溶液を注入する全てのウェル２２ａへの案内を完了していないときには、ステップＳ１２０で読み出したウェルプレート２２へＤＮＡ溶液を注入する順番にしたがって、次の順番のウェル２２ａを、今回液体を収容するウェル２２ａとしてステップＳ１４０〜Ｓ１６０の処理を実行する。ＤＮＡ溶液を収容する全てのウェル２２ａへの案内を完了したときには、ＤＮＡ溶液を収容する全てのウェル２２ａに対応するＬＥＤ２９を点灯させると共にガイド画面４０の表示内容を更新する（ステップＳ１７０）。ここで、ガイド画面４０の表示内容を更新するときには、試薬名表示部４２の表示を消すと共に、インジケータ表示部４３の９６個のインジケータ５２のうちＤＮＡ溶液を収容する全てのウェル２２ａに対応するインジケータ５２を黄色の表示にするものとする。オペレータは、この状態で、各ウェル２２ａを見て、ＬＥＤ２９の光がはっきり目視できるウェル２２ａがあるか否かつまり、図９（ａ）のように見えているウェル２２ａの底部があるか否かを確認することにより、ＤＮＡ溶液の収容のし忘れや本来収容すべきでないウェル２２ａへの誤収容があるか否かを確認することができる。即ち、ＬＥＤ２９の光がはっきり目視できるウェル２２ａがなければ、ＤＮＡ溶液の収容のし忘れや本来収容すべきでないウェル２２ａへの誤収容がないということを確認することができる。この確認の終了後、オペレータは、終了ボタン４４を押下する。
【００３５】
続いて、ＣＰＵ３５は、終了ボタン４４が押下されるのを待って（ステップＳ１８０）、全てのＬＥＤ２９を消灯させて（ステップＳ１９０）、本ルーチンを終了する。
【００３６】
こうしてＤＮＡ溶液の収容の済んだウェルプレート２２は、周知のＰＣＲ増幅装置などにセットされて、各ウェル２２ａに収容したＤＮＡ溶液中のＤＮＡ断片の増幅が行われる。そして、ＤＮＡ断片の増幅されたＤＮＡ溶液は、ＤＮＡアレイを製造するスポッタのスポットするＤＮＡの溶液を収容するタンクに、ピペッタによって収容される。
【００３７】
ここで、本実施形態の構成要素と本発明の構成要素との対応関係を明らかにする。本実施形態のウェル検査装置２０が本発明のウェル検査装置に相当し、ウェルプレート２２がウェルプレートに相当し、ＬＥＤ２９が光源に相当し、マーク２８ａが遮光部に相当する。また、本実施形態のＤＮＡ溶液注入ガイドシステム１０が本発明の液体注入ガイドシステムに相当し、コンピュータ３０のメインコントローラ３４及びＬＥＤコントローラ３９が光源制御装置に相当する。
【００３８】
以上詳述した本実施形態によれば、マーク２８ａは、ＬＥＤ２９が光を照射したウェル２２ａにＤＮＡ溶液が収容されていない非収容状態のときにはマーク２８ａに遮光された陰の全体がウェルプレート２２の上方からウェル２２ａの底部を見たオペレータに認識され、ＬＥＤ２９が光を照射したウェル２２ａにＤＮＡ溶液が収容されている収容状態のときにはマーク２８ａに遮光された陰が拡大されてオペレータに視認される。つまり、非収容状態ではウェル２２ａに気体（空気）が収容されているのに対して収容状態ではウェル２２ａにＤＮＡ溶液が収容されているため、両者の屈折率の違いにより収容状態では非収容状態に比べてマーク２８ａに遮光された陰が拡大される。したがって、複数のウェル２２ａのうち底部に光が照射されたウェル２２ａにＤＮＡ溶液を注入した後で、そのウェル２２ａに実際にＤＮＡ溶液が収容されているか否かをマーク２８ａに遮光された陰の大きさによってあるいはその陰の周囲から見えるＬＥＤ２９の光量（明るさ）によって容易に確認することができる。
【００３９】
また、マーク２８ａは、クロスの形を成しているため、ウェル２２ａにＤＮＡ溶液が収容されているか否かをオペレータがより視認しやすくすることができる。更に、ＬＥＤ２９は、今回ＤＮＡ溶液を注入するウェル２２ａに対応している場合には点滅し、次回以降ＤＮＡ溶液を注入するウェル２２ａ及び前回以前にＤＮＡ溶液を注入したウェル２２ａに対応している場合には点灯するよう制御されるから、今回注入するウェル２２ａをオペレータが確認しやすくなる。それと共に、既にＤＮＡ溶液を収容したウェル２２ａに対応するＬＥＤ２９を点灯させるため、ＤＮＡ溶液を収容したウェル２２ａとＤＮＡ溶液を収容していないウェル２２ａとを比較することが可能となり、ＤＮＡ溶液が収容されたウェル２２ａか否かをオペレータが視認しやすくすることができる。
【００４０】
なお、本発明は上述した実施形態に何ら限定されることはなく、本発明の技術的範囲に属する限り種々の態様で実施し得ることはいうまでもない。
【００４１】
例えば、上述した実施形態では、マークフィルム２８は、筐体２４に貼り付けられているものとしたが、ＬＥＤ２９とウェル２２ａとの間に配置され、ウェル２２ａにＤＮＡ溶液が収容されている場合と収容されていない場合とをオペレータが視認することができれば、どこに設置されていてもよい。例えば、ウェルプレート２２の下面に貼り付けられていてもよいし、プレートホルダ２６の下面に貼り付けられていてもよい。
【００４２】
上述した実施形態では、マーク２８ａは、マークフィルム２８の透明フィルム上に描かれたものとしたが、ウェル２２ａにＤＮＡ溶液が収容されている場合と収容されていない場合とをオペレータが視認することができれば、どこに描かれていてもよい。例えば、ウェル２２ａの底面に描かれていてもよい。
【００４３】
上述した実施形態では、マーク２８ａは、クロス形状としたが、例えば、丸形や、三角形、四角形、五角形、八角形、ドーナツ形など、クロスの形以外の形を成すものとしてもよい。こうした場合には、各形状に合わせて、そのマークの大きさや、このマークの描かれているマークフィルム２８とＬＥＤ２９とウェル２２ａの底部との位置関係などを、ウェル２２ａにＤＮＡ溶液が収容されている場合と収容されていない場合とをそのマークの陰によってオペレータが視認することができるように設定するものとする。
【００４４】
上述した実施形態では、マークフィルム２８とＬＥＤ２９とウェル２２ａの底部との位置関係、及び、このマークフィルム２８に描かれるマーク２８ａの大きさは、ＬＥＤ２９が点灯した状態で、ＬＥＤ２９から発した光がマーク２８ａを介して照射されたウェル２２ａに液体が収容されているときには、収容されている液体のレンズ作用によってマーク２８ａに遮光された陰が拡大され該拡大された陰がウェル２２ａの底部の全面以上となってオペレータに視認されるように設定されているものとしたが、以下のように設定されているものとしてもよい。即ち、収容されている液体のレンズ作用によって、マーク２８ａに遮光された陰が拡大され該拡大された陰がウェル２２ａの底部の面の多く（例えば８割以上）を占めるようになってオペレータに視認されるように設定されているものとしてもよい。こうした場合でも、複数のウェル２２ａのうち底部に光が照射されたウェル２２ａにＤＮＡ溶液を注入した後で、そのウェル２２ａに実際にＤＮＡ溶液が収容されているか否かをマーク２８ａに遮光された陰の大きさによってあるいはその陰の周囲から見えるＬＥＤ２９の光量（明るさ）によって容易に確認することができる。
【００４５】
上述した実施形態では、ステップＳ１３０で、ＤＮＡ溶液を注入する全てのウェル２２ａに対応するＬＥＤ２９を点灯させてから、ステップＳ１７０でＤＮＡ溶液を注入する全てのウェル２２ａに対応するＬＥＤ２９を点灯させるまで、次回以降ＤＮＡ溶液を注入するウェル２２ａに対応するＬＥＤ２９と、前回以前にＤＮＡ溶液を注入したウェル２２ａに対応するＬＥＤ２９との両方のＬＥＤ２９を点灯させるものとしたが、何れか一方のＬＥＤ２９のみ点灯させるものとしてもよいし、いずれのＬＥＤ２９も点灯させないものとしてもよい。
【００４６】
上述した実施形態では、ＬＥＤ２９は赤色のＬＥＤとしたが、例えば、青色のＬＥＤや緑色のＬＥＤ、フルカラーのＬＥＤなど赤色以外のＬＥＤとしてもよい。フルカラーのＬＥＤの場合には、インジケータ表示部４３に表示されている色と同じ色の光を発するように制御してもよい。
【００４７】
上述した実施形態では、ＬＥＤ２９がウェル２２ａの底部に照射した光がマーク２８ａに遮光されることでウェルプレート２２の上方からウェル２２ａの底部を見たオペレータに陰が視認され、且つ、ウェル２２ａが収容状態のときには非収容状態のときに比べて陰が拡大されるものとしたが、ウェル２２ａにＤＮＡ溶液が収容されているか否かを容易に確認することができるものであればよい。例えば、筐体２４の代わりに図１０に示す筐体１２４によりウェル２２ａに光を照射するものとしてもよい。筐体１２４は、図示するように、筐体２４がＬＥＤ設置穴２４ａ及びＬＥＤ２９を備える代わりに上面にカラー液晶ディスプレイ（ＬＣＤ）１６０を備えたものである。ＬＣＤ１６０は、格子状に配列された複数の画素と、各画素に配置されたＴＦＴ（薄膜トランジスタ）などのアクティブ素子とを備えており、各画素の点灯，消灯を制御することのできる周知の装置である。このＬＣＤ１６０は複数の画素の点灯，消灯を切り替えることにより、図１０に示すように複数のマーク１２８ａ（実施例１のマーク２８ａと同様の長方形が交差したクロス形状）を点灯させることができる。なお、図１０では全てのマーク１２８ａを点灯させた状態を示しているが、各々のマーク１２８ａは個別に点灯，消灯，点滅のいずれかの態様で表示することができる。この筐体１２４の上方にウェルプレート２２がプレートホルダ２６を介して装着されると、マーク１２８ａは各ウェル２２ａと上下方向に１対１に対応するようになっている。こうすることで、オペレータがウェルプレート２２の上方からウェル２２ａの底部を見たときに、点灯又は点滅しているマーク１２８ａに対応するウェル２２ａの底部にはマーク１２８ａの形状の光が視認される。また、ウェル２２ａにＤＮＡ溶液が収容されている収容状態のときのマーク１２８ａの形状の光（図１１（ｂ）参照）は、ウェル２２ａに液体が収容されていない非収容状態のときのマーク１２８ａの形状の光（図１１（ａ）参照）に比べて、液体中を通過する際に光が屈折することにより拡大されてオペレータに視認される。したがって、複数のウェル２２ａのうち底部に光が照射されたウェル２２ａに液体を注入した後でそのウェルに実際に液体が収容されているか否かをマーク１２８ａの形状の大きさによって容易に確認することができる。
【００４８】
上述した実施形態では、筐体２４にプレートホルダ２６を介して１つのウェルプレート２２が筐体２４に装着されているものとしたが、２つ以上のウェルプレートが装着されるものとしてもよい。図１２は筐体に２つのウェルプレート２２２，３２２が装着された場合のＤＮＡ溶液注入ガイドシステム２１０の構成の概略を示す構成図、図１３はウェル検査装置２２０の筐体２２４の斜視図、図１４は筐体２２４の上面図、図１５はＤＮＡ溶液注入ガイドシステム２１０の電気的な接続を示すブロック図である。このＤＮＡ溶液注入ガイドシステム２１０は、図１２に示すように、液体を収容可能な複数のウェル２２２ａの液体収容状態を検査するウェル検査装置２２０と、このウェル検査装置２２０と配線２１２によって電気的に接続されたコンピュータ２３０とを備えている。ウェル検査装置２２０は、図１２に示すように、２つのウェルプレート２２２，３２２と、筐体２２４と、２つのプレートホルダ２２６，３２６と、を備えている。ウェルプレート２２２，３２２は、それぞれ液体を収容する９６個のウェル２２２ａが設けられており、いずれも上述した実施形態のウェルプレート２２と同様の構造である。また、プレートホルダ２２６，３２６についてもそれぞれ上述した実施形態のプレートホルダ２６と同様の構造であり、図示しないが、それぞれプレートホルダ２６の支持穴２６ａと同様の複数の支持穴が設けられている。図１２に示すように、ウェルプレート２２２はプレートホルダ２２６を介して筐体２２４の上方に装着され、ウェルプレート３２２はプレートホルダ３２６を介して筐体２２４の上方に装着されている。筐体２２４は、図１０に示した筐体１２４と同様に上面にカラー液晶ディスプレイ（ＬＣＤ）２６０を備えている（図１３，１４参照）。また、筐体２２４は、タッチパネルモニタ２７０を備えている。ＬＣＤ２６０は、図１０に示したＬＣＤ１６０と同様に図１３，１４に示す複数のマーク２２８ａ（マーク１２８ａと同様の長方形が交差したクロス形状）を個別に点灯，消灯，点滅させることができる。また、各々のマーク２２８ａを異なる色で点灯又は点滅させることもできる。そして、図１２のようにプレートホルダ２２６，３２６を介してウェルプレート２２２，３２２が筐体２２４の上方に装着されると、マーク２２８ａは各ウェル２２２ａと上下方向に１対１に対応するようになっている。この状態でＬＣＤ２６０がマーク２２８ａを点灯させると、マーク２２８ａの形状の光が対応するウェル２２２ａの底部に照射され、その対応するウェル２２２ａの底部をウェルプレート２２２，３２２の上方から見たオペレータにマーク２２８ａが視認される。また、図１１と同様に、マーク２２８ａが点灯された状態で、マーク２２８ａの形状の光が照射されたウェル２２２ａに液体が収容されていないときには、マーク２２８ａの全体がウェルプレート２２２，３２２の上方からそのウェル２２２ａの底部を見たオペレータに視認され、そのウェル２２２ａに液体が収容されているときには、収容されている液体のレンズ作用によってマーク２２８ａが拡大されてウェル２２２ａの底部の全面以上となってオペレータに視認されるようになっている。タッチパネルモニタ２７０は、文字や図形、記号などを表示する機能を備えるディスプレイ（例えば液晶ディスプレイ）の表面に押圧位置を検出する抵抗膜方式の透明なタッチパネルが重層されたものである。このタッチパネルモニタ２７０には、送りボタン２７１，全点灯ボタン２７２，戻りボタン２７３が表示されており、オペレータが押圧した位置を検出することで各ボタンをオペレータが押圧したか否かを検出できるようになっている。なお、タッチパネルモニタ２７０におけるタッチパネルは抵抗膜方式に限らず他の方式であってもよい。コンピュータ２３０は、図１２，図１５に示すように、ＬＥＤコントローラ３９を備えない代わりに配線２１２を介してＬＣＤ２６０，タッチパネルモニタ２７０と電気的に接続されたインタフェース（Ｉ／Ｆ）２８０を備えている点以外は上述した実施形態のコンピュータ３０と同様の構成である。Ｉ／Ｆ２８０以外のコンピュータ２３０の構成要素については、コンピュータ３０の構成要素の符号に値２００を加えた符号を付し、その説明は省略する。Ｉ／Ｆ２８０は、メインコントローラ２３４からの指令により配線２１２を介してＬＣＤ２６０，タッチパネルモニタ２７０の表示を制御したり、タッチパネルモニタ２７０の押圧位置を表す押圧情報をタッチパネルモニタ２７０から配線２１２を介して入力したりする装置である。このＩ／Ｆ２８０は、上述したＬＣＤ２６０のマーク２２８ａの点灯，消灯，点滅及び色の制御や、タッチパネルモニタ２７０のボタン２７１〜２７３の表示を行う。また、オペレータがタッチパネルの送りボタン２７１，全点灯ボタン２７２，戻りボタン２７３のいずれかを押圧したことを押圧情報により検出すると、押圧されたボタンを表す情報をメインコントローラ２３４に送信する。フラッシュメモリ２３８には、実施形態のフラッシュメモリ３８と同様にウェルプレート２２２，３２２へＤＮＡ溶液を注入する順番と注入するウェル２２２ａの位置とそのウェル２２２ａに注入するＤＮＡ溶液の名前（試薬名）との関係が設定テーブルとして記憶されている。このＤＮＡ溶液注入ガイドシステム２１０が図６のガイド処理ルーチンと同様の処理を実行することで、オペレータがウェルプレート２２２，３２２の上方からウェル２２２ａの底部を見たときに、ウェル２２２ａにＤＮＡ溶液が収容されている収容状態のときには、ウェル２２２ａに液体が収容されていない非収容状態のときに比べて、液体中を通過する際に光が屈折することによりマーク２２８ａの形状が拡大されてオペレータに視認される。したがって、複数のウェル２２２ａのうち底部に光が照射されたウェル２２２ａに液体を注入した後でそのウェルに実際に液体が収容されているか否かをマーク２２８ａの形状の大きさによって容易に確認することができる。ここで、送りボタン２７１は、上述した実施形態のエンターキー３１ａや図１２のエンターキー２３１ａと同様の働きをするボタンであり、ＤＮＡ溶液注入ガイドシステム２１０が図６のガイド処理ルーチンと同様の処理を実行するにあたり、図６のステップＳ１５０で送りボタン２７１が押圧されたときにステップＳ１６０の処理を実行するようになっている。戻りボタン２７３は、図６のステップＳ１４０の実行後、ステップＳ１５０で肯定的な判定がなされる前に押圧されることでステップＳ１４０に進み、直前のステップＳ１４０において今回ＤＮＡ溶液を注入するとされたウェル２２２ａの１つ前の順番のウェル２２２ａに対応するマーク２２８ａを点滅させるようになっている。また、全点灯ボタン２７２は、マーク２２８ａが正しく点灯することを確認するためのボタンであり、全点灯ボタン２７２が押圧されると、複数のマーク２２８ａの全てが点灯するようになっている。なお、図６のガイド処理ルーチンと同様の処理を実行するにあたり、ステップＳ１４０において、図７のガイド画面４０の試薬名表示部４２に表示するＤＮＡ溶液の名前をタッチパネルモニタ２７０に表示してもよい。また、他にもＤＮＡ溶液を注入するウェル２２２ａの位置を示す行記号・列記号や、ＤＮＡ溶液を「注入する」という作業内容を合わせてタッチパネルモニタ２７０に表示してもよい。こうすれば、オペレータがディスプレイ２３３のガイド画面を確認しなくとも、今回の作業内容を確認できる。なお、このＤＮＡ溶液注入ガイドシステム２１０はＬＣＤ２６０によりウェル２２２ａに光を照射してオペレーターにマーク２２８ａを視認させるものとしたが、上述した実施形態と同様にＬＥＤの光がマークに遮光されることでウェル２２２ａの底部に陰が視認されるものとしてもよい。また、このＤＮＡ溶液注入ガイドシステム２１０は２つのウェルプレート２２２，３２２が装着されているものとしたが、３つ以上のウェルプレートが装着されるものとしてもよい。
【００４９】
図１０の筐体１２４，及び図１２〜図１５に示したＤＮＡ溶液注入ガイドシステム２１０では、マーク１２８ａ，２２８ａはクロス形状としたが、点灯又は点滅しているときにウェルプレートの上方からウェルの底部を見たオペレータに所定の模様が視認され、且つ、ウェルが収容状態のときには非収容状態のときに比べて模様が拡大されて視認されるものであればよく、例えば、丸形や、三角形、四角形、五角形、八角形、ドーナツ形など、クロスの形以外の形を成すものとしてもよい。また、マーク１２８ａ，２２８ａは何色に点灯するものとしてもよい。
【００５０】
上述した実施形態，図１０の筐体１２４，及び図１２〜図１５に示したＤＮＡ溶液注入ガイドシステム２１０では、ウェルプレートに設けられるウェルは９６個としたが、９６個に限らず３８４個など何個であってもよいし、ウェル同士の間隔がウェルプレート毎に異なっていてもよく、ウェルとマークとが１対１に対応していればよい。また、筐体１２４やＤＮＡ溶液注入ガイドシステム２１０の場合、装着されるウェルプレートの枚数，大きさ，ウェルの個数，間隔，ウェルの位置を表す行数及び列数などの情報を予めオペレータが入力するものとし、入力された情報に基づいてウェルとマークとが１対１に対応するようにコンピュータがＬＣＤの各画素を制御するものとしてもよい。こうすれば、マークの位置を変えることで様々な種類のウェルプレートを用いた作業に筐体１２４，２２４を用いることができる。
【符号の説明】
【００５１】
１０，２１０  ＤＮＡ溶液注入ガイドシステム、１２，２１２  配線、１４，２１４  バス、２０，２２０  ウェル検査装置、２２，２２２，３２２  ウェルプレート、２２ａ，２２２ａ  ウェル、２４，１２４，２２４  筐体、２４ａ  ＬＥＤ設置穴、２６，２２６，３２６  プレートホルダ、２６ａ  支持穴、２８  マークフィルム、２８ａ，１２８ａ，２２８ａ  マーク、２９  ＬＥＤ、３０，２３０  コンピュータ、３１，２３１  キーボート、３１ａ，２３１ａ  エンターキー、３２，２３２  マウス、３３，２３３  ディスプレイ、３４，２３４  メインコントローラ、３５，２３５  ＣＰＵ、３６，２３６  ＲＯＭ、３７，２３７  ＲＡＭ、３８，２３８  フラッシュメモリ、３９  ＬＥＤコントローラ、４０  ガイド画面、４２  試薬名表示部、４３  インジケータ表示部、４４  終了ボタン、５０  行記号の表示部、５１  列記号の表示部、５２  インジケータ、１６０，２６０  カラー液晶ディスプレイ（ＬＣＤ）、２７０  タッチパネルモニタ、２７１  送りボタン、２７２  全点灯ボタン、２７３  戻りボタン、２８０  インタフェース（Ｉ／Ｆ）。
【図１】
2010096754.tif 000003
【図２】
2010096754.tif 000004
【図３】
2010096754.tif 000005
【図４】
2010096754.tif 000006
【図５】
2010096754.tif 000007
【図６】
2010096754.tif 000008
【図７】
2010096754.tif 000009
【図８】
2010096754.tif 000010
【図９】
2010096754.tif 000011
【図１０】
2010096754.tif 000012
【図１１】
2010096754.tif 000013
【図１２】
2010096754.tif 000014
【図１３】
2010096754.tif 000015
【図１４】
2010096754.tif 000016
【図１５】
2010096754.tif 000017